(57)【特許請求の範囲】
【請求項１】
ポリビニルエーテルを含む基油と、下記一般式（５）及び（６）で示される化合物からなる群から選択される少なくとも１種である多リン酸エステル系化合物と、アルキレン基の炭素数が２〜４であり、かつ１分子中におけるオキシアルキレン単位の数が１〜４である（ポリ）アルキレングリコール系化合物とを含み、
前記多リン酸エステル系化合物の含有量が、冷凍機油全量に対して０．０１〜５．０質量％であり、
前記（ポリ）アルキレングリコール系化合物の含有量が、冷凍機油全量に対して０．０８〜５．０質量％である、冷凍機油。
【化１】
0006717446.tif 000016
（ただし、式（５）において、ｎは１〜３の整数を表す。）
【化２】
0006717446.tif 000017
【請求項２】
前記多リン酸エステル系化合物の含有量が、冷凍機油全量に対して０．５〜５．０質量％である請求項１に記載の冷凍機油。
【請求項３】
前記（ポリ）アルキレングリコール系化合物の含有量が、冷凍機油全量に対して０．０８〜３質量％である請求項１又は２に記載の冷凍機油。
【請求項４】
前記ポリビニルエーテルは、下記一般式（Ａ−１）で表される構成単位を有するものである、請求項１〜３のいずれか１項に記載の冷凍機油。
【化３】
0006717446.tif 000018
ここで、Ｒ１ａ、Ｒ２ａ及びＲ３ａはそれぞれ独立に水素原子又は炭素数１〜８の炭化水素基を示し、それらは互いに同一であっても異なっていてもよい。
Ｒ４ａは、炭素数２〜１０の二価の炭化水素基を示し、ｒは、平均値が０〜１０の繰り返し数を示し、複数のＲ４ａＯは同一でも異なっていてもよい。
Ｒ５ａは炭素数１〜１０の炭化水素基を示す。
【請求項５】
前記多リン酸エステル系化合物が、下記一般式（５）で示される化合物である、
請求項１〜４のいずれか１項に記載の冷凍機油。
【化４】
0006717446.tif 000019
（ただし、式（５）において、ｎは１〜３の整数を表す。）
【請求項６】
前記（ポリ）アルキレングリコール系化合物の炭素数が２〜２４である請求項１〜５のいずれか１項に記載の冷凍機油。
【請求項７】
前記（ポリ）アルキレングリコール系化合物が、ジプロピレングリコールである請求項１〜６のいずれか１項に記載の冷凍機油。
【請求項８】
炭素数６〜６０の有機カルボン酸の金属塩を実質的に含有しない請求項１〜７のいずれか１項に記載の冷凍機油。
【請求項９】
オレイン酸カリウムを実質的に含有しない請求項１〜８のいずれか１項に記載の冷凍機油。
【請求項１０】
冷媒と、請求項１〜９のいずれか１項に記載される冷凍機油とを含む冷凍機用組成物。
【請求項１１】
前記冷媒が、フッ化炭化水素、二酸化炭素、炭化水素、及びアンモニアからなる群から選択される１種又は２種以上を含む請求項１０に記載の冷凍機用組成物。
【請求項１２】
ポリビニルエーテルを含む基油に、下記一般式（５）及び（６）で示される化合物からなる群から選択される少なくとも１種である多リン酸エステル系化合物と、アルキレン基の炭素数が２〜４であり、かつ１分子中におけるオキシアルキレン単位の数が１〜４である（ポリ）アルキレングリコール系化合物とを少なくとも配合して冷凍機油を得る冷凍機油の製造方法であって、
前記多リン酸エステル系化合物の含有量が、冷凍機油全量に対して０．０１〜５．０質量％であり、
前記（ポリ）アルキレングリコール系化合物の含有量が、冷凍機油全量に対して０．０８〜５．０質量％である、冷凍機油の製造方法。
【化５】
0006717446.tif 000020
（ただし、式（５）において、ｎは１〜３の整数を表す。）
【化６】
0006717446.tif 000021
【発明の詳細な説明】
【技術分野】
【０００１】
本発明は、冷凍機油、及びその冷凍機油を使用した冷凍機用組成物に関する。
【背景技術】
【０００２】
冷凍機では、冷媒と冷凍機油との混合物（以下、「冷凍機用組成物」ともいう）が密閉された系内を循環する構造となっており、冷凍機油には、冷媒との相溶性、安定性及び潤滑性能が要求される。これら要求性能を満たしやすくするために、ビニルエーテル化合物等の含酸素有機化合物を主成分として含む冷凍機油が多く使用されている（例えば、特許文献１参照）。
【０００３】
一方、冷媒としては、従来多く使用されていたハイドロクロロフルオロカーボン（ＨＣＦＣ）に代わり、環境負荷が低いハイドロフルオロカーボン（ＨＦＣ）が使用されるようになってきている。ＨＦＣの中では、Ｒ３２（ジフロオロエタン）やＲ４１０Ａ（ジフルオロエタンとペンタフルオロエタンの混合物）等の飽和ハイドロフルオロカーボン（飽和ＨＦＣ）が多く使用されている。
このような飽和ＨＦＣ冷媒との相溶性や、耐摩耗性、耐焼付性等の潤滑性能を改善する技術として、含酸素有機化合物からなる基油に、トリクレジルホスフェート（ＴＣＰ）等のリン原子を１つ有するリン酸エステル化合物を添加することが知られている（例えば、特許文献２参照）。
【０００４】
さらに、ハイドロフルオロカーボンとしては、地球温暖化係数が低いＨＦＯ１２３４ｚｅ（１，３，３，３−テトラフルオロプロペン）、ＨＦＯ１２３４ｙｆ（２，３，３，３−テトラフルオロプロペン）などの不飽和ハイドロフルオロカーボン（ＨＦＯ）の使用も近年検討されている。
不飽和ハイドロフルオロカーボンは、分子内に不飽和結合を有することで、飽和ＨＦＣに比べて熱・化学安定性が低いため、飽和ＨＦＣとは異なる添加剤の配合も検討されている。例えば、特許文献３〜６に開示されるように、冷媒が重合してワックス状になることを防止するために、重合パラフィン防止剤としてエチレングリコール等の多価アルコールを冷凍機油に配合することが検討されている。
【先行技術文献】
【特許文献】
【０００５】
【特許文献１】特開平６−１２８５７８号公報
【特許文献２】特開平１０−１３０６８３号公報
【特許文献３】特開２０１１−０２１８７０号公報
【特許文献４】特開２０１１−０２１８７１号公報
【特許文献５】特開２０１１−０５７８８５号公報
【特許文献６】特開２０１１−０５８７４７号公報
【発明の概要】
【発明が解決しようとする課題】
【０００６】
ところで、冷凍機分野においては、省エネルギー化の要求が年々高まりつつあり、成績係数（ＣＯＰ：Coefficient of Performance）を向上させることが求められている。そのため、冷凍機油には、耐摩耗性に加えて、ＣＯＰ向上のために、冷凍機の摺動部分における摩擦係数を低くすることが求められる。
しかしながら、特許文献２に示すように、ＴＣＰ等のリン原子を１つ有するリン酸エステル化合物を冷凍機油に配合したとしても、耐摩耗性を良好にしつつ、摩擦係数を十分に低くすることが難しい。
また、特許文献３〜６には、ワックス状固形物の生成を防止することが開示されるのみであり、耐摩耗性を良好にしたり、摩擦係数を低くしたりすることについて言及されていない。
【０００７】
本発明は、以上の問題点に鑑みてなされたものであり、含酸素有機化合物を基油として含む冷凍機油を使用した場合に、耐摩耗性を良好にしつつ、摩擦係数を低下させることを課題とする。
【課題を解決するための手段】
【０００８】
本発明者らは、鋭意検討の結果、含酸素有機化合物を含む基油に、一分子中に少なくとも２つ以上のリン原子を有する特定のリン系化合物と、多価アルコールの両方を含有させることにより、上記課題を解決できることを見出し、本発明を完成させた。本発明は、以下の冷凍機油、冷凍機用組成物、及び冷凍機油の製造方法を提供する。
（１）含酸素有機化合物を含む基油と、多リン酸エステル系化合物と、多価アルコールとを含む冷凍機油。
（２）冷媒と、上記（１）に記載される冷凍機油とを含む冷凍機用組成物。
（３）含酸素有機化合物を含む基油に、多リン酸エステル系化合物と、多価アルコールとを少なくとも配合して冷凍機油を得る、冷凍機油の製造方法。
【発明の効果】
【０００９】
本発明によれば、基油に特定のリン系化合物と、多価アルコールを含有させることで、耐摩耗性を良好にしつつ、摩擦係数を低減させることが可能な冷凍機油を提供する。
【発明を実施するための形態】
【００１０】
以下、本発明について、実施形態を用いて説明する。
本発明の一実施形態に係る冷凍機油は、基油と、多リン酸エステル系化合物と、多価アルコールとを含む。以下、冷凍機油に含有される各成分について詳細に説明する。
【００１１】
［基油］
本実施形態における基油は、含酸素有機化合物を含むものである。含酸素有機化合物としては、分子中にエーテル基、ケトン基、エステル基、カーボネート基などを含有する合成油、さらにはこれらの基とともにヘテロ原子（硫黄原子、フッ素原子、塩素原子、珪素原子、窒素原子など）を含有する合成油が挙げられる。より具体的には、ポリビニルエーテル類（ＰＶＥ）、ポリオキシアルキレングリコール類（ＰＡＧ）、ポリ（オキシ）アルキレングリコール又はそのモノエーテルとポリビニルエーテルとの共重合体（ＥＣＰ）、及びポリオールエステル類（ＰＯＥ）が挙げられる。含酸素有機化合物は、１種単独で使用してもよいし、２種以上を併用してもよい。
これらの中では、ポリビニルエーテル類（ＰＶＥ）及びポリオキシアルキレングリコール類（ＰＡＧ）から選ばれる１種以上が好ましく、中でも、ポリビニルエーテル類（ＰＶＥ）から選ばれる１種以上がより好ましい。なお、ＰＶＥは、特に、後述する一般式（１）で表され、かつＲ9が一般式（２）で表される基である多リン酸エステル化合物や、一般式（５）で示される多リン酸エステル化合物とともに使用される場合に、摩擦係数、耐摩耗性を良好にしやすくなる。
含酸素有機化合物は、冷凍機油の主成分となるものであり、含酸素有機化合物は、冷凍機油全量に対して、７０〜９９．９８質量％含有されることが好ましく、９０〜９９．５質量％含有されることがより好ましく、９３．０〜９９．３質量％含有されることが更に好ましい。
【００１２】
以下、基油として使用されるＰＶＥ、ＰＡＧ、ＥＣＰ、ＰＯＥについてより詳細に説明する。
＜ポリビニルエーテル類（ＰＶＥ）＞
ポリビニルエーテル類（ＰＶＥ）は、ビニルエーテル由来の構成単位を有する重合体であり、具体的には、下記一般式（Ａ−１）で表される構成単位を有するポリビニルエーテル系化合物が挙げられる。
【００１３】
【化１】
0006717446.tif 000002
【００１４】
上記一般式（Ａ−１）におけるＲ１ａ、Ｒ２ａ及びＲ３ａはそれぞれ独立に水素原子又は炭素数１〜８の炭化水素基を示し、それらは互いに同一であっても異なっていてもよい。ここで炭化水素基としては、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基などのアルキル基；シクロペンチル基、シクロヘキシル基、各種メチルシクロヘキシル基、各種エチルシクロヘキシル基、各種ジメチルシクロヘキシル基などのシクロアルキル基；フェニル基、各種メチルフェニル基、各種エチルフェニル基、各種ジメチルフェニル基などのアリール基；ベンジル基、各種フェニルエチル基、各種メチルベンジル基などのアリールアルキル基が挙げられるが、アルキル基が好ましい。
Ｒ１ａ、Ｒ２ａ及びＲ３ａは水素原子あるいは炭素数３以下のアルキル基がより好ましく、いずれも水素原子であることがさらに好ましい。なお、一般式（Ａ−１）におけるｒは、繰り返し数を示し、その平均値が０〜１０の範囲の数であるが、０が好ましい。
【００１５】
Ｒ４ａは、炭素数２〜１０の二価の炭化水素基を示すが、ここで炭素数２〜１０の二価の炭化水素基としては、具体的にはエチレン基、フェニルエチレン基、１，２−プロピレン基、２−フェニル−１，２−プロピレン基、１，３−プロピレン基、各種ブチレン基、各種ペンチレン基、各種ヘキシレン基、各種ヘプチレン基、各種オクチレン基、各種ノニレン基、各種デシレン基などの二価の脂肪族炭化水素基；シクロヘキサン、メチルシクロヘキサン、エチルシクロヘキサン、ジメチルシクロヘキサン、プロピルシクロヘキサンなどの脂環式炭化水素に２個の結合部位を有する脂環式炭化水素基；各種フェニレン基、各種メチルフェニレン基、各種エチルフェニレン基、各種ジメチルフェニレン基、各種ナフチレンなどの二価の芳香族炭化水素基；トルエン、エチルベンゼンなどのアルキル芳香族炭化水素のアルキル基部分と芳香族部分にそれぞれ一価の結合部位を有するアルキル芳香族炭化水素基；キシレン、ジエチルベンゼンなどのポリアルキル芳香族炭化水素のアルキル基部分に結合部位を有するアルキル芳香族炭化水素基などがある。これらの中で炭素数２〜４の脂肪族炭化水素基がより好ましい。また複数のＲ４ａＯは同一でも異なっていてもよい。
【００１６】
さらに、一般式（Ａ−１）におけるＲ５ａは炭素数１〜１０の炭化水素基を示すが、この炭化水素基とは、具体的にはメチル基，エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基などのアルキル基；シクロペンチル基、シクロヘキシル基、各種メチルシクロヘキシル基、各種エチルシクロヘキシル基、各種プロピルシクロヘキシル基、各種ジメチルシクロヘキシル基などのシクロアルキル基；フェニル基、各種メチルフェニル基、各種エチルフェニル基、各種ジメチルフェニル基、各種プロピルフェニル基、各種トリメチルフェニル基、各種ブチルフェニル基、各種ナフチル基などのアリール基；ベンジル基、各種フェニルエチル基、各種メチルベンジル基、各種フェニルプロピル基，各種フェニルブチル基などのアリールアルキル基を示す。この中で炭素数１〜８の炭化水素基が好ましく、炭素数１〜６のアルキル基がより好ましい。なお、アルキル基は、直鎖状、分岐鎖状、環状のいずれでもよい。
【００１７】
上記一般式（Ａ−１）で表される構成単位を有するポリビニルエーテル系化合物の中でも、Ｒ１ａ，Ｒ２ａ及びＲ３ａがいずれも水素原子、ｒが０であって、Ｒ５ａがエチル基である構成単位を５０〜１００モル％、Ｒ５ａが炭素数３もしくは４のアルキル基である構成単位を０〜５０モル％含む重合体又は共重合体が好ましい。Ｒ５ａがエチル基である構成単位の割合は、７０〜１００モル％であるとともに、Ｒ５ａが炭素数３もしくは４のアルキル基である構成単位の割合は０〜３０モル％であることがより好ましく、前者が８０〜９５％であるとともに後者が５〜２０モル％であることがさらに好ましい。
また、前記Ｒ５ａの炭素数３もしくは４のアルキル基としては、ｎ−プロピル基、イソプロピル基、ｎ−ブチル基、イソブチル基、ｓｅｃ−ブチル基、ｔｅｒｔ−ブチル基が使用できるが、特にイソブチル基が好ましい。
【００１８】
ポリビニルエーテル系化合物は、上記一般式（Ａ−１）で表される構成単位を有するものであるが、その繰り返し数は、所望する動粘度に応じて適宜選択すればよい。また、上記ポリビニルエーテル系化合物は、対応するビニルエーテル系モノマーの重合により製造することができる。ここで用いることのできるビニルエーテル系モノマーは、以下の一般式（Ａ−２）で示されるものである。
【００１９】
【化２】
0006717446.tif 000003
（式中、Ｒ１ａ，Ｒ２ａ，Ｒ３ａ，Ｒ４ａ及びＲ５ａ及びｒは前記と同じである。）
【００２０】
このビニルエーテル系モノマーとしては、上記ポリビニルエーテル系化合物に対応する各種のものがあるが、例えばビニルメチルエーテル、ビニルエチルエーテル、ビニル−ｎ−プロピルエーテル、ビニル−イソプロピルエーテル、ビニル−ｎ−ブチルエーテル、ビニル−イソブチルエーテル、ビニル−ｓｅｃ−ブチルエーテル、ビニル−ｔｅｒｔ−ブチルエーテル、ビニル−ｎ−ペンチルエーテル、ビニル−ｎ−ヘキシルエーテル、ビニル−２−メトキシエチルエーテル、ビニル−２−エトキシエチルエーテル、ビニル−２−メトキシ−１−メチルエチルエーテル、ビニル−２−メトキシ−プロピルエーテル、ビニル−３，６−ジオキサヘプチルエーテル、ビニル−３，６，９−トリオキサデシルエーテル、ビニル−１，４−ジメチル−３，６−ジオキサヘプチルエーテル、ビニル−１，４，７−トリメチル−３，６，９−トリオキサデシルエーテル、ビニル−２，６−ジオキサ−４−ヘプチルエーテル、ビニル−２，６，９−トリオキサ−４−デシルエーテル、１−メトキシプロペン、１−エトキシプロペン、１−ｎ−プロポキシプロペン、１−イソプロポキシプロペン、１−ｎ−ブトキシプロペン、１−イソブトキシプロペン、１−ｓｅｃ−ブトキシプロペン、１−ｔｅｒｔ−ブトキシプロペン、２−メトキシプロペン、２−エトキシプロペン、２−ｎ−プロポキシプロペン、２−イソプロポキシプロペン、２−ｎ−ブトキシプロペン、２−イソブトキシプロペン、２−ｓｅｃ−ブトキシプロペン、２−ｔｅｒｔ−ブトキシプロペン、１−メトキシ−１−ブテン、１−エトキシ−１−ブテン、１−ｎ−プロポキシ−１−ブテン、１−イソプロポキシ−１−ブテン、１−ｎ−ブトキシ−１−ブテン、１−イソブトキシ−１−ブテン、１−ｓｅｃ−ブトキシ−１−ブテン、１−ｔｅｒｔ−ブトキシ−１−ブテン、２−メトキシ−１−ブテン、２−エトキシ−１−ブテン、２−ｎ−プロポキシ−１−ブテン、２−イソプロポキシ−１−ブテン、２−ｎ−ブトキシ−１−ブテン、２−イソブトキシ−１−ブテン、２−ｓｅｃ−ブトキシ−１−ブテン、２−ｔｅｒｔ−ブトキシ−１−ブテン、２−メトキシ−２−ブテン、２−エトキシ−２−ブテン、２−ｎ−プロポキシ−２−ブテン、２−イソプロポキシ−２−ブテン、２−ｎ−ブトキシ−２−ブテン、２−イソブトキシ−２−ブテン、２−ｓｅｃ−ブトキシ−２−ブテン、２−ｔｅｒｔ−ブトキシ−２−ブテン等が挙げられる。これらのビニルエーテル系モノマーは公知の方法により製造することができる。
【００２１】
一般式（Ａ−１）で示される重合体の末端部分には、公知の方法により、飽和の炭化水素、エーテル、アルコール、ケトン、アミド、ニトリル等に由来の一価の基を導入してもよい。
中でも、ポリビニルエーテル系化合物としては、次の（１）〜（４）の末端構造を有するものが好適である。
（１）その１つの末端が下記一般式（Ａ−１−ｉ）で表され、残りの末端が下記一般式（Ａ−１−ii）で表されるもの
【化３】
0006717446.tif 000004
（式中、Ｒ６ａ，Ｒ７ａ及びＲ８ａは、それぞれ独立に水素原子又は炭素数１〜８の炭化水素基を示し、それらは互いに同一であっても異なっていてもよい。Ｒ９ａは炭素数２〜１０の二価の炭化水素基、Ｒ１０ａは炭素数１〜１０の炭化水素基、ｒ１はその平均値が０〜１０の数を示し、Ｒ９ａＯが複数ある場合には複数のＲ９ａＯは同一であっても異なっていてもよい。）
【化４】
0006717446.tif 000005
【００２２】
（式中、Ｒ１１ａ，Ｒ１２ａ及びＲ１３ａは、それぞれ独立に水素原子又は炭素数１〜８の炭化水素基を示し、それらは互いに同一であっても異なっていてもよく、Ｒ１４ａは炭素数２〜１０の二価の炭化水素基、Ｒ１５ａは炭素数１〜１０の炭化水素基、ｒ２はその平均値が０〜１０の数を示し、Ｒ１４ａＯが複数ある場合には複数のＲ１４ａＯは同一であっても異なっていてもよい。）
【００２３】
（２）その一つの末端が上記一般式（Ａ−１-i）で表され、かつ残りの末端が一般式（Ａ−１-iii）で表されるもの
【化５】
0006717446.tif 000006
（式中、Ｒ１６ａ、Ｒ１７ａ及びＲ１８ａは、それぞれ独立に水素原子又は炭素数１〜８の炭化水素基を示し、それらは互いに同一であっても異なっていてもよい。Ｒ１９ａ及びＲ２１ａはそれぞれ独立に炭素数２〜１０の二価の炭化水素基を示し、それらは互いに同一であっても異なっていてもよく、Ｒ２０ａ及びＲ２２ａはそれぞれ独立に炭素数１〜１０の炭化水素基を示し、それらは互いに同一であっても異なっていてもよく、ｒ３及びｒ４はそれぞれその平均値が０〜１０の数を示し、それらは互いに同一であっても異なっていてもよく、また複数のＲ１９ａＯがある場合には複数のＲ１９ａＯは同一であっても異なっていてもよいし、複数のＲ２１ａＯがある場合には複数のＲ２１ａＯは同一であっても異なっていてもよい。）
【００２４】
（３）その一つの末端が上記一般式（Ａ−１-i）で表され、かつ残りの末端がオレフィン性不飽和結合を有するもの
（４）その一つの末端が上記一般式（Ａ−１-i）で表され、かつ残りの末端が一般式（Ａ−１-iv）で表されるもの
【化６】
0006717446.tif 000007
（式中、Ｒ２３ａ，Ｒ２４ａ及びＲ２５ａは、それぞれ水素原子又は炭素数１〜８の炭化水素基を示し、それらは互いに同一であっても異なっていてもよい。）
【００２５】
ポリビニルエーテル系混合物は、前記（１）〜（４）の末端構造を有するものの中から選ばれた二種以上の混合物であってもよい。このような混合物としては、例えば前記（１）のものと（４）のものとの混合物、及び前記（２）のものと（３）のものとの混合物を好ましく挙げることができる。
ポリビニルエーテル系化合物は、後述する好ましい基油の粘度範囲となるように、重合度、末端構造等を選定することが好ましい。また、ポリビニルエーテル系化合物は、１種を単独で用いてもよく、２種以上を組み合わせて用いてもよい。
【００２６】
上記一般式（Ａ−１）で表される構成単位を有するポリビニルエーテル系化合物の中では、特に１つの末端が上記一般式（Ａ−１−ｉ）で表され、残りの末端が上記一般式（Ａ−１−ii）で表されるものが好ましい。
中でも、式（Ａ−１−ｉ）及び式（Ａ−１−ii）において、Ｒ６ａ，Ｒ７ａ、Ｒ８ａ、Ｒ１１ａ，Ｒ１２ａ及びＲ１３ａが水素原子であるとともに、ｒ１及びｒ２のいずれもが０であり、Ｒ１0ａ，Ｒ１5ａが炭素数１〜４のアルキル基であることがより好ましい。
【００２７】
＜ポリオキシアルキレングリコール類（ＰＡＧ）＞
ポリオキシアルキレングリコール類（ＰＡＧ）としては、下記一般式（Ｂ−１）で表される化合物が挙げられる。なお、基油中にＰＡＧが含まれる場合、当該ＰＡＧは、単独で又は２種以上を併用してもよい。
Ｒ１ｂ−［（ＯＲ２ｂ）ｍ−ＯＲ３ｂ］ｎ      （Ｂ−１）
（式中、Ｒ１ｂは水素原子、炭素数１〜１０の１価の炭化水素基、炭素数２〜１０のアシル基、結合部２〜６個を有する炭素数１〜１０の炭化水素基又は炭素数１〜１０の酸素含有炭化水素基、Ｒ２ｂは炭素数２〜４のアルキレン基、Ｒ３ｂは水素原子、炭素数１〜１０の炭化水素基又は炭素数２〜１０のアシル基又は炭素数１〜１０の酸素含有炭化水素基、ｎは１〜６の整数、ｍはｍ×ｎの平均値が６〜８０となる数を示す。）
【００２８】
上記一般式（Ｂ−１）において、Ｒ1b及びＲ3bの各々における炭素数１〜１０の１価の炭化水素基は直鎖状、分岐鎖状、環状のいずれであってもよい。該炭化水素基はアルキル基が好ましく、その具体例としては、メチル基、エチル基、ｎ−プロピル基、イソプロピル基、各種ブチル基、各種ペンチル基、各種ヘキシル基、各種ヘプチル基、各種オクチル基、各種ノニル基、各種デシル基、シクロペンチル基、シクロヘキシル基などを挙げることができる。上記１価の炭化水素基は、炭素数を１０以下とすることで冷媒との相溶性が良好となる。そのような観点から、１価の炭化水素基の炭素数は、より好ましくは１〜４である。
また、Ｒ1b及びＲ3bの各々における炭素数２〜１０のアシル基が有する炭化水素基部分は、直鎖状、分岐鎖状、環状のいずれであってもよい。該アシル基の炭化水素基部分は、アルキル基が好ましく、その具体例としては、上述のＲ１ｂ及びＲ３ｂとして選択し得るアルキル基のうち炭素数１〜９のものが挙げられる。該アシル基の炭素数が１０以下とすることで冷媒との相溶性が良好となる。好ましいアシル基の炭素数は２〜４である。
Ｒ1b及びＲ3bが、いずれも炭化水素基又はアシル基である場合には、Ｒ1bとＲ3bは同一であってもよいし、互いに異なっていてもよい。
【００２９】
さらにｎが２以上の場合には、１分子中の複数のＲ3bは同一であってもよいし、異なっていてもよい。
Ｒ1ｂが結合部位２〜６個を有する炭素数１〜１０の炭化水素基である場合、この炭化水素基は鎖状のものであってもよいし、環状のものであってもよい。結合部位２個を有する炭化水素基としては、脂肪族炭化水素基が好ましく、例えばエチレン基、プロピレン基、ブチレン基、ペンチレン基、ヘキシレン基、ヘプチレン基、オクチレン基、ノニレン基、デシレン基、シクロペンチレン基、シクロヘキシレン基などが挙げられる。その他の炭化水素基としては、ビフェノール、ビスフェノールＦ、ビスフェノールＡなどのビスフェノール類から水酸基を除いた残基を挙げることができる。また、結合部位３〜６個を有する炭化水素基としては、脂肪族炭化水素基が好ましく、例えばトリメチロールプロパン、グリセリン、ペンタエリスリトール、ソルビトール、１，２，３−トリヒドロキシシクロヘキサン、１，３，５−トリヒドロキシシクロヘキサンなどの多価アルコールから水酸基を除いた残基を挙げることができる。
この脂肪族炭化水素基の炭素数が１０以下とすることで冷媒との相溶性が良好となる。この脂肪族炭化水素基の好ましい炭素数は２〜６である。
【００３０】
さらに、Ｒ１ｂ及びＲ３ｂの各々における炭素数１〜１０の酸素含有炭化水素基としては、エーテル結合を有する鎖状の脂肪族基や環状の脂肪族基（例えば、テトラヒドロフルフリル基）などを挙げることができる。
上記Ｒ１ｂ及びＲ３ｂの少なくとも一つはアルキル基、特に炭素数１〜４のアルキル基であることが好ましい。
【００３１】
前記一般式（Ｂ−１）中のＲ２ｂは炭素数２〜４のアルキレン基であり、繰り返し単位のオキシアルキレン基としては、オキシエチレン基、オキシプロピレン基、オキシブチレン基が挙げられる。１分子中のオキシアルキレン基は同一であってもよいし、２種以上のオキシアルキレン基が含まれていてもよいが、１分子中に少なくともオキシプロピレン単位を含むものが好ましく、オキシアルキレン単位中に５０モル％以上のオキシプロピレン単位を含むものがより好ましい。
前記一般式（Ｂ−１）中のｎは１〜６の整数で、Ｒ1bの結合部位の数に応じて定められる。例えばＲ１ｂがアルキル基やアシル基の場合、ｎは１であり、Ｒ1bが結合部位２，３，４，５及び６個を有する脂肪族炭化水素基である場合、ｎはそれぞれ２，３，４，５及び６となる。また、ｍはｍ×ｎの平均値が６〜８０となる数である。該平均値は８０以下となることで相溶性が良好になる。また、ｎは、好ましくは１〜３の整数、より好ましくは１である。ただし、ｍ×ｎの平均値は、後述する好ましい基油の粘度範囲となるように、適宜設定されることが好ましい。
前記一般式（Ｂ−１）で表されるポリオキシアルキレングリコール類は、末端に水酸基を有するポリオキシアルキレングリコールを包含するものであり、該水酸基の含有量が全末端基に対して、５０モル％以下になるような割合であれば、含有していても好適に使用することができる。
【００３２】
＜ポリ（オキシ）アルキレングリコール又はそのモノエーテルとポリビニルエーテルとの共重合体（ＥＣＰ）＞
本実施形態の冷凍機油において、基油として用いることのできる、ポリ（オキシ）アルキレングリコール又はそのモノエーテルとポリビニルエーテルとの共重合体としては、以下の一般式（Ｃ−１）で表される共重合体、及び一般式（Ｃ−２）で表される共重合体（以下、それぞれをポリビニルエーテル系共重合体Ｉ及びポリビニルエーテル系共重合体IIと称する。）が挙げられる。なお、ポリ（オキシ）アルキレングリコールとは、ポリアルキレングリコール及びポリオキシアルキレングリコールの両方を指す。
【００３３】
【化７】
0006717446.tif 000008
【００３４】
上記一般式（Ｃ−１）におけるＲ１ｃ、Ｒ２ｃ及びＲ３ｃはそれぞれ独立に水素原子又は炭素数１〜８の炭化水素基を示し、それらは互いに同一でも異なっていてもよく、Ｒ５ｃは炭素数２〜４の二価の炭化水素基、Ｒ６ｃは炭素数１〜２０の脂肪族もしくは脂環式炭化水素基、炭素数１〜２０の芳香族炭化水素基、炭素数２〜２０のアシル基又は炭素数２〜５０の酸素含有炭化水素基、Ｒ４ｃは炭素数１〜１０の炭化水素基を示し、Ｒ１ｃ〜Ｒ６ｃはそれらが複数ある場合にはそれぞれ同一でも異なっていてもよい。
ここでＲ１ｃ〜Ｒ３ｃのうちの炭素数１〜８の炭化水素基とは、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基などのアルキル基；シクロペンチル基、シクロヘキシル基、各種メチルシクロヘキシル基、各種エチルシクロヘキシル基、各種ジメチルシクロヘキシル基などのシクロアルキル基；各種ジメチルフェニル基などのアリール基；ベンジル基、各種フェニルエチル基、各種メチルベンジル基などのアリールアルキル基を示す。なお、これらのＲ１ｃ，Ｒ２ｃ及びＲ３ｃの各々としては、特に水素原子が好ましい。
【００３５】
一方、Ｒ５ｃで示される炭素数２〜４の二価の炭化水素基としては、具体的にはメチレン基、エチレン基、各種プロピレン基、各種ブチレン基などの二価のアルキレン基がある。
なお、一般式（Ｃ−１）におけるｖは、Ｒ５ｃＯの繰り返し数を示し、その平均値が１〜５０、好ましくは１〜２０、さらに好ましくは１〜１０、特に好ましくは１〜５の範囲の数である。Ｒ５ｃＯが複数ある場合には、複数のＲ５ｃＯは同一でも異なっていてもよい。ｖは構成単位毎に同じであってもよいし、異なっていてもよい。
また、ｗは１〜５０、好ましくは１〜１０、さらに好ましくは１〜２、特に好ましくは１、ｕは０〜５０、好ましくは２〜２５、さらに好ましくは５〜１５、の数を示し、ｗおよびｕはそれらが複数ある場合にはそれぞれブロックでもランダムでもよい。
【００３６】
さらに、一般式（Ｃ−１）におけるＲ６ｃは、好ましくは炭素数１〜１０のアルキル基、炭素数２〜１０のアシル基または炭素数２〜５０の酸素含有炭化水素基を示す。
この炭素数１〜１０のアルキル基とは、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、シクロペンチル基、シクロヘキシル基、各種メチルシクロヘキシル基、各種エチルシクロヘキシル基、各種プロピルシクロヘキシル基、各種ジメチルシクロヘキシル基などを示す。
また、炭素数２〜１０のアシル基としては、アセチル基、プロピオニル基、ブチリル基、イソブチリル基、バレリル基、イソバレリル基、ピパロイル基、ベンゾイル基、トルオイル基などを挙げることができる。
さらに、炭素数２〜５０の酸素含有炭化水素基の具体例としては、メトキシメチル基、メトキシエチル基、メトキシプロピル基、１，１−ビスメトキシプロピル基、１，２−ビスメトキシプロピル基、エトキシプロピル基、（２−メトキシエトキシ）プロピル基、（１−メチル−２−メトキシ）プロピル基などを好ましく挙げることができる。
【００３７】
一般式（Ｃ−１）において、Ｒ４ｃで示される炭素数１〜１０の炭化水素基とは、具体的には、メチル基、エチル基、ｎ−プロピル基、イソプロピル基、ｎ−ブチル基、イソブチル基、各種ペンチル基、各種ヘキシル基、各種ヘプチル基、各種オクチル基、各種ノニル基、各種デシル基などのアルキル基；シクロペンチル基、シクロヘキシル基、各種メチルシクロヘキシル基、各種エチルシクロヘキシル基、各種プロピルシクロヘキシル基、各種ジメチルシクロヘキシル基などのシクロアルキル基；フェニル基、各種メチルフェニル基、各種エチルフェニル基、各種ジメチルフェニル基、各種プロピルフェニル基、各種トリメチルフェニル基、各種ブチルフェニル基、各種ナフチル基などのアリール基；ベンジル基、各種フェニルエチル基、各種メチルベンジル基、各種フェニルプロピル基、各種フェニルブチル基などのアリールアルキル基等を示す。
前記一般式（Ｃ−１）で表される構成単位を有するポリビニルエーテル系共重合体Ｉは共重合体にすることにより、相溶性を満足しつつ潤滑性、絶縁性、吸湿性等を向上させることができる。
【００３８】
一方、前記一般式（Ｃ−２）で表されるポリビニルエーテル系共重合体IIにおいて、Ｒ１ｃ〜Ｒ５ｃ、及びｖは前記と同じである。Ｒ４ｃ，Ｒ５ｃはそれらが複数ある場合にはそれぞれ同一であっても異なっていてもよい。ｘ及びｙは、それぞれ１〜５０の数を示し、ｘおよびｙはそれらが複数ある場合にはそれぞれブロックでもランダムでもよい。Ｘｃ，Ｙｃは、それぞれ独立に水素原子、水酸基又は、炭素数１〜２０の炭化水素基を示す。
なお、一般式（Ｃ−１）、（Ｃ−２）における繰り返し数ｕ、ｗ、ｘ、ｙは、後述する所望の粘度となるように適宜選択されることが好ましい。また、ポリビニルエーテル系共重合体Ｉ、IIの製造方法については、それが得られる方法であればよく、特に制限はない。
【００３９】
一般式（Ｃ−１）で表されるビニルエーテル系共重合体Ｉは、その一つの末端が、以下の一般式（Ｃ−３）又は（Ｃ−４）で表され、かつ残りの末端が以下の一般式（Ｃ−５）又は一般式（Ｃ−６）で表される構造を有するポリビニルエーテル系共重合体Ｉとすることができる。
【化８】
0006717446.tif 000009
（上記（Ｃ−３）、（Ｃ−４）において、Ｒ１ｃ〜Ｒ６ｃ及びｖは前記と同じである。）
【化９】
0006717446.tif 000010
（上記（Ｃ−５）、（Ｃ−６）において、Ｒ１ｃ〜Ｒ６ｃ及びｖは前記と同じである。）
【００４０】
＜ポリオールエステル類（ＰＯＥ）＞
冷凍機油において、基油として用いることのできるポリオールエステル類としては、ジオールあるいは水酸基を３〜２０個有するポリオールと、炭素数１〜２４の脂肪酸とのエステルが好ましく用いられる。ここで、ジオールとしては、例えばエチレングリコール、１，３−プロパンジオール、プロピレングリコール、１，４−ブタンジオール、１，２−ブタンジオール、２−メチル−１，３−プロパンジオール、１，５−ペンタンジオール、ネオペンチルグリコール、１，６−ヘキサンジオール、２−エチル−２−メチル−１，３−プロパンジオール、１，７−ヘプタンジオール、２−メチル−２−プロピル−１，３−プロパンジオール、２，２−ジエチル−１，３−プロパンジオール、１，８−オクタンジオール、１，９−ノナンジオール、１，１０−デカンジオール、１，１１−ウンデカンジオール、１，１２−ドデカンジオールなどが挙げられる。ポリオールとしては、例えば、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）、グリセリン、ポリグリセリン（グリセリンの２〜２０量体）、１，３，５−ペンタントリオール、ソルビトール、ソルビタン、ソルビトールグリセリン縮合物、アドニトール、アラビトール、キシリトール、マンニトールなどの多価アルコール、キシロース、アラビノース、リボース、ラムノース、グルコース、フルクトース、ガラクトース、マンノース、ソルボース、セロビオース、マルトース、イソマルトース、トレハロース、シュクロース、ラフィノース、ゲンチアノース、メレンジトースなどの糖類、並びにこれらの部分エーテル化物、及びメチルグルコシド（配糖体）などが挙げられる。これらの中でもポリオールとしては、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）などのヒンダードアルコールが好ましい。
【００４１】
脂肪酸としては、特に炭素数は制限されないが、通常、炭素数１〜２４のものが用いられる。炭素数１〜２４の脂肪酸の中でも、潤滑性の点からは、炭素数３以上のものが好ましく、炭素数４以上のものがより好ましく、炭素数５以上のものがさらにより好ましい。また、冷媒との相溶性の点からは、炭素数１８以下のものが好ましく、炭素数１２以下のものがより好ましく、炭素数９以下のものがさらにより好ましい。
また、直鎖状脂肪酸、分岐状脂肪酸の何れであってもよく、潤滑性の点からは直鎖状脂肪酸が好ましく、加水分解安定性の点からは分岐状脂肪酸が好ましい。更に、飽和脂肪酸、不飽和脂肪酸のいずれであってもよい。
【００４２】
脂肪酸としては、例えば、イソ酪酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸、オレイン酸などの直鎖または分岐のもの、あるいはα炭素原子が４級である、いわゆるネオ酸などが挙げられる。さらに具体的には、イソ酪酸、吉草酸（ｎ−ペンタン酸）、カプロン酸（ｎ−ヘキサン酸）、エナント酸（ｎ−ヘプタン酸）、カプリル酸（ｎ−オクタン酸）、ペラルゴン酸（ｎ−ノナン酸）、カプリン酸（ｎ−デカン酸）、オレイン酸（ｃｉｓ−９−オクタデセン酸）、イソペンタン酸（３−メチルブタン酸）、２−メチルヘキサン酸、２−エチルペンタン酸、２−エチルヘキサン酸、３，５，５−トリメチルヘキサン酸などが好ましい。
なお、ポリオールエステルとしては、ポリオールの全ての水酸基がエステル化されずに残った部分エステルであってもよく、全ての水酸基がエステル化された完全エステルであってもよく、また部分エステルと完全エステルの混合物であってもよいが、完全エステルであることが好ましい。
【００４３】
このポリオールエステルの中でも、より加水分解安定性に優れることから、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）などのヒンダードアルコールのエステルがより好ましく、ネオペンチルグリコール、トリメチロールエタン、トリメチロールプロパン、トリメチロールブタンおよびペンタエリスリトールのエステルがさらにより好ましく、冷媒との相溶性及び加水分解安定性に特に優れることからペンタエリスリトールのエステルが最も好ましい。
【００４４】
好ましいポリオールエステルの具体例としては、ネオペンチルグリコールとイソ酪酸、吉草酸、カプロン酸、エナント酸、カプリル酸、ペラルゴン酸、カプリン酸、オレイン酸、イソペンタン酸、２−メチルヘキサン酸、２−エチルペンタン酸、２−エチルヘキサン酸、３，５，５−トリメチルヘキサン酸の中から選ばれる一種又は二種以上の脂肪酸とのジエステル、トリメチロールエタンとイソ酪酸、吉草酸、カプロン酸、エナント酸、カプリル酸、ペラルゴン酸、カプリン酸、オレイン酸、イソペンタン酸、２−メチルヘキサン酸、２−エチルペンタン酸、２−エチルヘキサン酸、３，５，５−トリメチルヘキサン酸の中から選ばれる一種又は二種以上の脂肪酸とのトリエステル、トリメチロールプロパンとイソ酪酸、吉草酸、カプロン酸、エナント酸、カプリル酸、ペラルゴン酸、カプリン酸、オレイン酸、イソペンタン酸、２−メチルヘキサン酸、２−エチルペンタン酸、２−エチルヘキサン酸、３，５，５−トリメチルヘキサン酸の中から選ばれる一種又は二種以上の脂肪酸とのトリエステル、トリメチロールブタンとイソ酪酸、吉草酸、カプロン酸、エナント酸、カプリル酸、ペラルゴン酸、カプリン酸、オレイン酸、イソペンタン酸、２−メチルヘキサン酸、２−エチルペンタン酸、２−エチルヘキサン酸、３，５，５−トリメチルヘキサン酸の中から選ばれる一種又は二種以上の脂肪酸とのトリエステル、ペンタエリスリトールとイソ酪酸、吉草酸、カプロン酸、エナント酸、カプリル酸、ペラルゴン酸、カプリン酸、オレイン酸、イソペンタン酸、２−メチルヘキサン酸、２−エチルペンタン酸、２−エチルヘキサン酸、３，５，５−トリメチルヘキサン酸の中から選ばれる一種又は二種以上の脂肪酸とのテトラエステルが挙げられる。
【００４５】
なお、二種以上の脂肪酸とのエステルとは、一種の脂肪酸とポリオールのエステルを二種以上混合したものでもよく、二種以上の混合脂肪酸とポリオールのエステル、特に混合脂肪酸とポリオールとのエステルは、低温特性や冷媒との相溶性に優れる。
【００４６】
冷凍機油に含有される含酸素有機化合物の１００℃動粘度は、１〜３０ｍｍ２／ｓであることが好ましい。この動粘度が１ｍｍ２／ｓ以上であれば良好な潤滑性能が発揮されると共に、シール性もよくなる。また、３０ｍｍ２／ｓ以下であれば冷媒と冷凍機油との相溶性に優れ、省エネルギー性が良好になる。以上の観点から、含酸素有機化合物の１００℃動粘度は、より好ましくは２〜２０ｍｍ２／ｓ、さらに好ましくは３〜１５ｍｍ２／ｓである。
なお、基油は、上記含酸素有機化合物のみからなるものでもよいが、本発明の目的を阻害しない限り、含酸素有機化合物に加えて、鉱油、上記含酸素有機化合物以外の合成油、又はこれらの両方を含有していてもよい。なお、上記含酸素有機化合物以外の基油は、冷凍機油全量に対して、１０質量％未満であることが好ましく、５質量％未満であることがより好ましく、１質量％未満であることがさらに好ましい。含酸素有機化合物以外の基油も含酸素有機化合物と同様に、１００℃動粘度が、好ましくは１〜３０ｍｍ２／ｓ、より好ましくは２〜２０ｍｍ２／ｓ、さらに好ましくは３〜１５ｍｍ２／ｓである。
【００４７】
［多リン酸エステル系化合物］
本実施形態の冷凍機油に含有される多リン酸エステル系化合物は、一分子中に少なくとも２つのリン酸骨格を有するリン酸エステル化合物である。多リン酸エステル系化合物は、具体的には以下の一般式（１）で表される化合物である。
【００４８】
【化１０】
0006717446.tif 000011
（ただし、式（１）において、ｎは１〜１０の整数を表し、Ｒ１〜Ｒ８は、それぞれ独立に水素原子又は炭素数１〜２０のアルキル基を表し、Ｒ9は炭素数２〜２０の二価の炭化水素基を表す。）
本実施形態では、多リン酸エステル系化合物及び後述する多価アルコールを含有することで、耐摩耗性を良好にしつつ、冷凍機の摺動部分における摩擦係数を低減させることが可能になる。
なお、多リン酸エステル系化合物は、１種単独で使用してもよいし、２種以上を併用してもよい。
【００４９】
一般式（１）においてＲ１〜Ｒ８におけるアルキル基は、直鎖状、分岐鎖状、環状のいずれでもよく、メチル基、エチル基、ｎ−プロピル基、イソプロピル基、各種ブチル基、各種ペンチル基、各種ヘキシル基、各種ヘプチル基、各種オクチル基、各種ノニル基、各種デシル基、各種ウンデシル基、各種ドデシル基、各種トリデシル基、各種テトラデシル基、各種ペンタデシル基、各種ヘキサデシル基、各種ヘプタデシル基、各種オクタデシル基などが挙げられる。
Ｒ１〜Ｒ８は、水素原子又は炭素数１〜４のアルキル基が好ましく、水素原子又はメチル基がより好ましく、水素原子であることが最も好ましい。
【００５０】
一般式（１）におけるＲ9は、アルキレン基、アリーレン基、又はアリーレン基及びアルキレン基からなる炭化水素基が好ましく、また、アリーレン基を含むことが好ましい。ここで、Ｒ9がアルキレン基である場合、そのアルキレン基は、例えば、エチレン基、プロピレン基、ブチレン基、ペンチレン基、ヘキシレン基、へプチレン基、オクチレン基、ノニレン基、デシレン基、ウンデシレン基、ドデシレン基、テトラデシレン基、ヘキサデシレン基、オクタデシレン基、イコサレン基等が挙げられ、これらは直鎖状であってもよく、各種の分岐状のものでもよい。また、アルキレン基としては、シクロプロピレン基、シクロブチレン基、シクロペンチレン基、シクロヘキシレン基、シクロヘプチレン基、シクロオクチレン基、ジシクロペンチレン基、トリシクロペンチレン基等の環状のアルキレン基でもよい。また、ここでいうアルキレン基は、アルキリデン基も含む。
【００５１】
また、アリーレン基としては、置換又は無置換のいずれでもよく、具体的には、置換若しくは無置換のフェニレン基、置換若しくは無置換のナフチレン基、置換若しくは無置換のビフェニル基等が挙げられるが、アリーレン基としては無置換のほうが好ましい。また、これらの中ではフェニレン基が好ましい。
さらに、Ｒ9がアリーレン基とアルキレン基からなる場合、アリーレン基は上記と同じであるとともに、アルキレン基としては、直鎖状、分岐鎖状、又は環状の炭素数１〜１４のアルキレン基が挙げられ、例えば、メチレン基や上記したものと同様のものが使用できる。また、直鎖状又は分岐鎖状の炭素数１〜５のアルキレン基であることが好ましく、具体的にはメチレン基、１，１−エチレン、１，２−エチレン等の各種エチレン基、１，３−プロピレン、１，２−プロピレン、２，２−プロピレン等の各種プロピレン基、各種ブチレン基、各種ペンチレン基が挙げられ、これらの中では２，２−プロピレン基（-Ｃ（ＣＨ３）２-）がより好ましい。
また、一般式（１）において、ｎは、１〜８が好ましく、ｎが特定の一種からなる単体であってもよいし、ｎが特定の二種以上からなる混合物であってもよい。ｎは１〜５であることがより好ましく、ｎは１〜３であることがさらに好ましく、中でもｎは１が特に好ましい。ｎを小さくすることにより、分子量が小さくなるため、基油に対する溶解度を高めやすくなり、さらには、摩擦係数を低減させやすくなる。
【００５２】
また、Ｒ9の好適な具体例としては、以下の一般式（２）〜（４）で表される基が好ましいが、一般式（２）又は（３）で表される基がより好ましく、一般式（２）で表される基がより好ましい。なお、一般式（２）は、オルト体、メタ体、パラ体のいずれでもよいが、メタ体が好ましい。
【化１１】
0006717446.tif 000012
【００５３】
また、好ましい多リン酸エステル系化合物の具体例としては例えば以下の一般式（５）及び（６）で示される化合物が挙げられる。これらの中では、以下の一般式（５）で示される化合物がより好ましい。
【化１２】
0006717446.tif 000013
式（５）において、ｎは１〜１０の整数を表し、好ましくは１〜８、より好ましくは１〜５、さらに好ましくは１〜３である。なお、一般式（５）に示される多リン酸エステル系化合物は、基油が上記含酸素有機化合物としてＰＶＥを含む場合に、耐摩耗性を良好にし、かつ摩擦係数を低減させる効果を発揮しやすく、ｎが１〜３である場合、特にｎが１である場合に、その効果を発揮しやすい。
【化１３】
0006717446.tif 000014
【００５４】
多リン酸エステル系化合物の含有量は、冷凍機油全量に対して、０．０１〜５．０質量％であることが好ましい。本実施形態では、多リン酸エステル系化合物を０．０１質量％以上含有させることで、冷凍機油の安定性、耐摩耗性を良好に維持しつつ、摺動部分における摩擦係数を効果的に低減させることが可能である。また、５．０質量％以下とすることで、多リン酸エステル系化合物を基油に溶解させやすくなり、かつ含有量に応じた効果を発揮させやすくなる。
また、冷凍機油の安定性及び耐摩耗性を考慮しつつ、摺動部における摩擦係数を効果的に低減させるためには、上記多リン酸エステル系化合物の含有量は、０．５〜５．０質量％がより好ましく、１．０〜５．０質量％がさらに好ましく、１．０〜３．０質量％が特に好ましい。
【００５５】
［多価アルコール］
本実施形態の冷凍機油は、上記多リン酸エステル系化合物に加えて、水酸基を２個以上有する多価アルコールを含有する。多価アルコールが有する水酸基の数は、２個以上であればよいが、２〜４個が好ましく、２個であることがより好ましい。
また、多価アルコールとしては、炭素数が２〜２４の多価アルコールが挙げられるが、この炭素数は４〜２４が好ましく、４〜２０がより好ましい。
【００５６】
多価アルコールの好ましい具体例としては、アルキレン基の炭素数が２〜４であり、かつ１分子中におけるオキシアルキレン単位の数が１〜４である（ポリ）アルキレングリコール系化合物から選ばれる１種又は２種以上である。本実施形態では、（ポリ）アルキレングリコール系化合物を使用することで、摩擦係数をより低減させやすくなる。なお、用語「（ポリ）アルキレングリコール系化合物」は、アルキレングリコール及び（ポリ）アルキレングリコールの両方を含む概念である。
上記（ポリ）アルキレングリコール系化合物は、水酸基を２個有する化合物であり、その具体例としては、エチレングリコール、プロピレングリコール（１，２−プロパンジオール）、１，３−プロパンジオール、１，２−ブタンジオール、１，３−ブタンジオール、１，４−ブタンジオール等の１分子中におけるオキシアルキレン単位の数が１であるアルキレングリコール；ジエチレングリコール、トリエチレングリコール、テトラエチレングリコール、ジプロピレングリコール、トリプロピレングリコール、テトラプロピレングリコール、ジブチレングリコール、トリブチレングリコール、テトラブチレングリコール等の１分子中におけるオキシアルキレン単位の数が２〜４であるポリアルキレングリコールが挙げられる。
上記の中では、アルキレン基の炭素数が２〜３で、かつ１分子中におけるオキシアルキレン単位の数が２〜３であるポリアルキレングリコール、具体的には、ジエチレングリコール、トリエチレングリコール、ジプロピレングリコール、トリプロピレングリコール等がより好ましい。さらに、アルキレン基の炭素数が３でかつ１分子中におけるオキシアルキレン単位の数が２であるジアルキレングリコール、すなわちジプロピレングリコールが特に好ましい。
【００５７】
また、本実施形態では、多価アルコールとして、上記で例示した多価アルコール以外にも種々のアルコールが使用可能であり、１，５−ペンタンジオール、ネオペンチルグリコール、１，６−ヘキサンジオール、２−エチル−２−メチル−１，３−プロパンジオール、１，７−ヘプタンジオール、２−メチル−２−プロピル−１，３−プロパンジオール、２，２−ジエチル−１，３−プロパンジオール、１，８−オクタンジオール、１，９−ノナンジオール、１，１０−デカンジオール、１，１１−ウンデカンジオール、１，１２−ドデカンジオールなどの２価アルコール；トリメチロールエタン、トリメチロールプロパン、トリメチロールブタン、グリセリンなどの３価アルコール；ペンタエリスリトール、ジペンタエリスリトール、ジグリセリン、ソルビトール、キシリトールなどの４価以上の多価アルコールが挙げられる。
なお、多価アルコールは、１種単独で使用してもよいし、２種以上を併用してもよい。
【００５８】
冷凍機油における多価アルコールの含有量は、冷凍機油全量に対して、好ましくは０．０１質量％以上である。含有量を０．０１質量％以上とすることで、摩擦係数を低減させる効果を得やすくなる。また、多価アルコールの含有量は、その上限は特に限定されるわけではないが、５質量％以下であることが好ましい。５質量％以下とすることで、冷凍機油の体積抵抗値を大きく低下させることなく、摩擦係数を低減させることが可能である。
上記観点から、多価アルコールの含有量は、０．０３〜３質量％がより好ましい。また、多価アルコールの含有量は、摩擦係数をより効果的に低減させるためには、０．０３〜２質量％がさらに好ましく、０．０３〜１質量％が特に好ましく、０．０８〜０．５質量％が最も好ましい。
【００５９】
［その他の添加剤］
本実施形態に係る冷凍機油は、上記多リン酸エステル系化合物、多価アルコール以外にも、さらに、酸化防止剤、酸捕捉剤、消泡剤、極圧剤、油性剤、酸素捕捉剤、金属不活性化剤、及び防錆剤等の各種の添加剤（その他の添加剤）のいずれか１種又は２種以上を含有してもよく、これらの中では、酸化防止剤、酸捕捉剤、及び消泡剤のいずれか１種又は２種以上を含有することが好ましい。ただし、冷凍機油はその他の添加剤を含有しなくてもよい。上記多リン酸エステル系化合物及び多価アルコール以外のその他の添加剤は、冷凍機油全量に対して、好ましくは１５質量％以下、より好ましくは０〜５質量％含有される。
酸化防止剤としては、２，６−ジ−ｔｅｒｔ−ブチル−４−メチルフェノール、２，６−ジ−ｔｅｒｔ−ブチル−４−エチルフェノール、２，２’−メチレンビス（４−メチル−６−ｔｅｒｔ−ブチルフェノール）等のフェノール系、フェニル−α−ナフチルアミン、Ｎ，Ｎ’−ジ−フェニル−ｐ−フェニレンジアミン等のアミン系の酸化防止剤が挙げられるが、フェノール系の酸化防止剤が好ましい。酸化防止剤の含有量は、効果及び経済性などの点から、冷凍機油全量に対して、通常０．０１〜５質量％、好ましくは０．０５〜３質量％である。
【００６０】
酸捕捉剤としては、例えばフェニルグリシジルエーテル、アルキルグリシジルエーテル、アルキレングリコールグリシジルエーテル、シクロヘキセンオキシド、α−オレフィンオキシド、エポキシ化大豆油などのエポキシ化合物を挙げることができる。中でも相溶性の点でフェニルグリシジルエーテル、アルキルグリシジルエーテル、アルキレングリコールグリシジルエーテル、シクロヘキセンオキシド、α−オレフィンオキシドが好ましい。
このアルキルグリシジルエーテルのアルキル基、及びアルキレングリコールグリシジルエーテルのアルキレン基は、分岐を有していてもよく、炭素数は通常３〜３０、好ましくは４〜２４、特に好ましくは６〜１６のものである。また、α−オレフィンオキシドは全炭素数が一般に４〜５０、好ましくは４〜２４、特に６〜１６のものを使用する。本実施形態においては、上記酸捕捉剤は１種を用いてもよく、２種以上を組み合わせて用いてもよい。また、その含有量は、効果及びスラッジ発生の抑制の点から、冷凍機油全量に対して、通常０．００５〜５質量％、好ましくは０．０５〜３質量％である。
本実施形態においては、酸捕捉剤を含有させることにより、冷凍機油の安定性を向上させることができる。
また、消泡剤としては、例えば、シリコーン系消泡剤やフッ素化シリコーン系消泡剤などを挙げることができる。消泡剤の含有量は、冷凍機油全量に対して、通常０．００５〜２質量％、好ましくは０．０１〜１質量％である。
【００６１】
極圧剤としては、有機カルボン酸の金属塩が挙げられる。ここでいう有機カルボン酸の金属塩は、炭素数６〜６０のカルボン酸、好ましくは炭素数６〜２４、より好ましくは炭素数１６〜２０の有機カルボン酸の金属塩である。
有機カルボン酸としては、脂肪族飽和モノカルボン酸、脂肪族不飽和モノカルボン酸、脂肪族ジカルボン酸、芳香族カルボン酸、脂環式カルボン酸などが挙げられる。
さらに具体例を挙げると、脂肪族飽和モノカルボン酸としては、カプロン酸、カプリル酸、カプリン酸、ラウリル酸、ミリスチン酸、パルミチン酸、ステアリン酸、アラキン酸、セロチン酸、ラクセル酸等の直鎖脂肪酸；２−メチルペンタン酸、２，２−ジメチルブタン酸、２−メチルヘキサン酸、５−メチルヘキサン酸、２，２−ジメチルヘプタン酸、２−エチル−２−メチルブタン酸、２−エチルヘキサン酸、ジメチルヘキサン酸、２−ｎ−プロピル−ペンタン酸、３，５，５−トリメチルヘキサン酸、ジメチルオクタン酸、イソトリデカン酸、イソミリスチン酸、イソステアリン酸、イソアラキン酸、イソヘキサン酸等の分岐脂肪酸が挙げられる。
また、脂肪族不飽和モノカルボン酸としては、パルミトレイン酸、オレイン酸、エライジン酸、リノ−ル酸、リノレン酸など、更にはリシノ−ル酸などの不飽和ヒドロキシ酸が挙げられる。また、脂肪族ジカルボン酸としてはアジピン酸、アゼライン酸、セバシン酸が挙げられ、芳香族カルボン酸としては安息香酸、フタル酸、トリメリット酸、ピロメット酸などが挙げられる。また、脂環式カルボン酸としては、ナフテン酸などが挙げられる。
また、各種脂肪酸のダイマー酸、トリマー酸などであってもよい。
これら有機カルボン酸は、１種単独で使用してもよいし、２種組み合わせて用いてもよい。
有機カルボン酸は、これらの中では、炭素数１６〜２０の脂肪族飽和モノカルボン酸、炭素数１６〜２０の脂肪族不飽和モノカルボン酸が好ましく、中でもオレイン酸等の脂肪族不飽和モノカルボン酸がより好ましい。
【００６２】
有機カルボン酸金属塩を構成する金属は、具体的には、リチウム、カリウム、ナトリウムなどのアルカリ金属、マグネシウム、カルシウム、ストロンチウムなどのアルカリ土類金属、その他の金属として亜鉛、ニッケル、アルミニウムなどを挙げることができる。好ましい金属は、アルカリ金属及びアルカリ土類金属であり、より好ましくはアルカリ金属、特に好ましくはカリウムである。これら金属は、１種に限らず２種以上組み合わせて使用してもよい。
より好ましい有機カルボン酸金属塩の具体例としては、上記した中では、特にオレイン酸カリウムが好ましい。
極圧剤としてオレイン酸カリウム等の有機カルボン酸金属塩を含有させると、冷凍機油の摩擦係数をより向上させやすくなるが、本実施形態の冷凍機油は、有機カルボン酸金属塩、特にオレイン酸カリウムを実質的に含有していなくてよい。なお、実質的に含有しないとは、冷凍機油全量（質量）に対して、有機カルボン酸金属塩由来の金属分濃度で１ｐｐｍ未満ならば含有していてもよいことを意味するが、全く含有しなくてもよい。実質的に含有しないことで有機カルボン酸金属塩が詰まりの原因になったりすることを防止できる。
【００６３】
また、極圧剤としては、リン酸エステル、酸性リン酸エステル、亜リン酸エステル、酸性亜リン酸エステル及びこれらのアミン塩などのリン系極圧剤を挙げることができる。
これらのリン系極圧剤は、その分子中にリン原子を１つ有するものであり、トリクレジルホスフェート、トリチオフェニルホスフェート、トリ（ノニルフェニル）ホスファイト、ジオレイルハイドロゲンホスファイト、２−エチルヘキシルジフェニルホスファイトなどが挙げられる。
さらに、上記以外の極圧剤として、例えば、硫化油脂、硫化脂肪酸、硫化エステル、硫化オレフィン、ジヒドロカルビルポリサルファイド、チオカーバメート類、チオテルペン類、ジアルキルチオジプロピオネート類などの硫黄系極圧剤を挙げることができる。
極圧剤の含有量は、潤滑性及び安定性の点から、冷凍機油全量に対して、通常０．０００５〜５質量％、特に０．００１〜３質量％が好ましい。
これら極圧剤は１種を単独で用いてもよく、２種以上を組み合わせて用いてもよい。
【００６４】
油性剤の例としては、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和および不飽和モノアミン、ラウリン酸アミド、オレイン酸アミドなどの脂肪族飽和及び不飽和モノカルボン酸アミド、グリセリン、ソルビトールなどの多価アルコールと脂肪族飽和又は不飽和モノカルボン酸との部分エステル等が挙げられる。
これらは１種を単独で用いてもよく、２種以上を組み合わせて用いてもよい。また、その含有量は、冷凍機油全量に対して、通常０．０１〜１０質量％、好ましくは０．１〜５質量％の範囲で選定される。
【００６５】
酸素捕捉剤としては、４，４’−チオビス（３−メチル−６−ｔ−ブチルフェノール）、ジフェニルスルフィド、ジオクチルジフェニルスルフィド、ジアルキルジフェニレンスルフィド、ベンゾチオフェン、ジベンゾチオフェン、フェノチアジン、ベンゾチアピラン、チアピラン、チアントレン、ジベンゾチアピラン、ジフェニレンジスルフィド等の含硫黄芳香族化合物、各種オレフィン、ジエン、トリエン等の脂肪族不飽和化合物、二重結合を持ったテルペン類等が挙げられる。
金属不活性化剤としては、例えばＮ−［Ｎ，Ｎ’−ジアルキル（炭素数３〜１２のアルキル基）アミノメチル］トリアゾール等を挙げることができる。
防錆剤としては、例えば金属スルホネート、脂肪族アミン類、有機亜リン酸エステル、有機リン酸エステル、有機スルフォン酸金属塩、有機リン酸金属塩、アルケニルコハク酸エステル、多価アルコールエステル等を挙げることができる。
本実施形態に係る冷凍機油には、さらに本発明の目的を阻害しない範囲で、上記した以外の公知の各種添加剤をその他の添加剤として含有させることができる。
【００６６】
［冷媒］
本実施形態に係る冷凍機油は、冷媒環境下で使用されるものであり、具体的には冷媒と混合されて冷凍機で使用されるものである。すなわち、本実施形態では、冷凍機油と冷媒とを含有する冷凍機用組成物の形態で冷凍機に使用される。冷凍機用組成物において、冷媒と冷凍機油の使用量については、冷媒／冷凍機油の質量比で９９／１〜１０／９０、更に９５／５〜３０／７０の範囲にあることが好ましい。この質量比を上記範囲内とすると、冷凍機における冷凍能力、及び潤滑性を適切にできる。
使用される冷媒としては、フッ化炭化水素や、自然系冷媒である二酸化炭素、炭化水素、及びアンモニアの中から選択される１種又は２種以上が挙げられる。
【００６７】
＜フッ化炭化水素＞
フッ化炭化水素としては、飽和フッ化炭化水素化合物（飽和ＨＦＣ）や不飽和フッ化炭化水素化合物（ＨＦＯ）が挙げられる。
飽和フッ化炭化水素化合物としては、通常、炭素数１〜４のアルカンのフッ化物であり、炭素数１〜３のアルカンのフッ化物が好ましく、炭素数１〜２のアルカン（メタン又はエタン）のフッ化物がより好ましい。具体的なメタン又はエタンのフッ化物としては、トリフルオロメタン（Ｒ２３）、ジフルオロメタン（Ｒ３２）、１，１−ジフルオロエタン（Ｒ１５２ａ）、１，１，１−トリフルオロエタン（Ｒ１４３ａ）、１，１，２−トリフルオロエタン（Ｒ１４３）、１，１，１，２−テトラフルオロエタン（Ｒ１３４ａ）、１，１，２，２−テトラフルオロエタン（Ｒ１３４）、１，１，１，２，２−ペンタフルオロエタン（Ｒ１２５）が挙げられ、これらの中ではジフルオロメタン、１，１，１，２，２−ペンタフルオロエタンが好ましい。
これらの飽和フッ化炭化水素化合物は、１種を単独で用いてよく、２種以上組み合わせて用いてもよい。ここで、２種以上組み合わせて用いる場合の例として、炭素数１〜３の飽和フッ化炭化水素化合物を２種以上混合した混合冷媒や、炭素数１〜２の飽和フッ化炭化水素化合物を２種以上混合した混合冷媒が挙げられる。
具体的な混合冷媒としては、Ｒ３２とＲ１２５の混合物（Ｒ４１０Ａ）、Ｒ１２５とＲ１４３ａとＲ１３４ａの混合物（Ｒ４０４Ａ）、Ｒ３２とＲ１２５とＲ１３４ａの混合物（Ｒ４０７Ａ、Ｒ４０７Ｃ、Ｒ４０７Ｅ等）、Ｒ１２５とＲ１４３ａの混合物（Ｒ５０７Ａ）等が挙げられる。
【００６８】
不飽和フッ化炭化水素化合物としては、直鎖状又は分岐状の炭素数２〜６の鎖状オレフィンや炭素数４〜６の環状オレフィンのフッ素化物など、炭素−炭素二重結合を有するものが挙げられる。
より具体的には、１〜３個のフッ素原子が導入されたエチレン、１〜５個のフッ素原子が導入されたプロペン、１〜７個のフッ素原子が導入されたブテン、１〜９個のフッ素原子が導入されたペンテン、１〜１１個のフッ素原子が導入されたヘキセン、１〜５個のフッ素原子が導入されたシクロブテン、１〜７個のフッ素原子が導入されたシクロペンテン、１〜９個のフッ素原子が導入されたシクロヘキセンなどが挙げられる。
これらの不飽和フッ化炭化水素化合物の中では、プロペンのフッ化物が好ましく、フッ素原子が３〜５個導入されたプロペンがより好ましく、フッ素原子が４個導入されたプロペンが最も好ましい。具体的には、１，３，３，３−テトラフルオロプロペン（ＨＦＯ１２３４ｚｅ）、２，３，３，３−テトラフルオロプロペン（ＨＦＯ１２３４ｙｆ）が好ましい化合物として挙げられる。
これらの不飽和フッ化炭化水素化合物は、１種を単独で用いてよく、２種以上を組み合わせて用いてもよいし、不飽和フッ化炭化水素化合物以外の冷媒と組み合わせて使用してもよい。ここで、不飽和フッ化炭化水素化合物以外の冷媒と組み合わせて用いる場合の例として、飽和フッ化炭化水素化合物と不飽和フッ化炭化水素化合物の混合冷媒が挙げられる。具体的な混合冷媒としては、Ｒ−３２とＨＦＯ１２３４ｚｅとＲ１５２ａの混合冷媒（ＡＣ５、混合比は１３．２３：７６．２０：９．９６）等が挙げられる。
【００６９】
＜自然系冷媒＞
自然系冷媒としては、二酸化炭素（炭酸ガス）や、プロパン、ｎ−ブタン、イソブタン、２−メチルブタン、ｎ−ペンタン、シクロペンタン等の炭化水素や、アンモニアが挙げられ、これらの１種を単独で用いても、２種以上を組み合わせて用いてもよいし、自然系冷媒以外の冷媒と組み合わせてもよい。ここで、自然系冷媒以外の冷媒と組み合わせて用いる場合の例としては、飽和フッ化炭化水素化合物、不飽和フッ化炭化水素化合物、又はこれら両方との混合冷媒が挙げられる。具体的な混合冷媒としては、二酸化炭素とＨＦＯ１２３４ｚｅとＲ１３４ａの混合冷媒（ＡＣ６、配合比は５．１５：７９．０２：１５．４１）等が挙げられる。
本実施形態では、これら冷媒の中では、フッ化炭化水素が好ましく、飽和フッ化炭化水素化合物がより好ましい。冷媒は、飽和フッ化炭化水素化合物と他の冷媒との混合物であってもよいが、飽和フッ化炭化水素化合物のみからなるほうがよい。中でも、Ｒ３２、Ｒ１２５、これらの混合物であるＲ４１０Ａがさらに好ましく、特に冷媒がＲ３２を含むことが好ましく、この場合、冷媒全体の中のＲ３２の割合が、冷媒全量基準で５０質量％以上が好ましく、７０質量％以上がさらに好ましく、Ｒ３２単独の冷媒が最も好ましい。
【００７０】
［冷凍機］
本実施形態に係る冷凍機油又は冷凍機用組成物は、冷凍機内部に充填して使用されるものである。ここで、冷凍機とは、圧縮機、凝縮器、膨張機構（膨張弁など）及び蒸発器、あるいは圧縮機、凝縮器、膨張機構、乾燥器及び蒸発器を必須とする構成からなる冷凍サイクルを有する。冷凍機油は、例えば圧縮機等に設けられる摺動部分を潤滑するために使用されるものである。
なお、冷凍機の摺動部分は、金属−金属間であることが好ましく、摺動部分の金属としては、鉄、鋼材が挙げられる。本実施形態の冷凍機油は、鉄ないし鋼材間の耐摩耗性を向上させつつ、摩擦係数を低下させることが可能である。
また、上記冷凍機油及び冷凍機用組成物は、より具体的には、例えばカーエアコン、ガスヒートポンプ（ＧＨＰ）、空調、冷蔵庫、自動販売機、ショーケース、給湯機、床暖房などの各種冷凍機システム、給湯システム、及び暖房システムに用いることができる。
【００７１】
［冷凍機油の製造方法］
本発明の一実施形態に係る冷凍機油の製造方法は、上記した含酸素有機化合物を含む基油に、少なくとも上記多リン酸エステル系化合物及び多価アルコールを配合して冷凍機油を製造するものである。また、本方法では、多リン酸エステル系化合物及び多価アルコール以外にも、上記した各種のその他の添加剤のいずれか１種又は２種以上を配合してもよい。基油、多リン酸エステル系化合物、多価アルコール、及びその他の添加剤の詳細な説明は、上記と同様であるので、その説明は省略する。
【実施例】
【００７２】
以下に、本発明を、実施例により、さらに具体的に説明するが、本発明は、これらの例によってなんら限定されるものではない。なお、基油の性状、冷凍機油及び冷凍機用組成物の諸特性は、以下に示す要領に従って求めた。
【００７３】
（１）動粘度
ＪＩＳ Ｋ２２８３：２０００に準じ、ガラス製毛管式粘度計を用いて測定した。
（２）潤滑性試験
密閉式にしたブロックオンリング摩擦試験機（ＬＦＷ−１）を用いて、Ｒ３２（ジフルオロメタン）冷媒環境下で、各冷凍機油の摺動部分の摩擦係数、及びリング摩耗量を以下の条件で測定した。
リング：ＦＣ２５０    ブロック：ＳＫＨ５１    回転数：１０００ｒｐｍ
馴らし：荷重３００Ｎ×１分間    荷重：５００Ｎ    時間：３０分    油温：８０℃
冷媒圧力：０．４ＭＰａ
【００７４】
実施例１〜１３、比較例１〜１３
表１に示す各実施例、比較例の冷凍機油を各々調整して、潤滑性試験を実施した。その結果を表１に示す。
【００７５】
【表１】
0006717446.tif 000015
【００７６】
※各実施例、比較例において、基油、添加剤は以下のとおりである。また、表１における各基油、添加剤の数値は、冷凍機油全量基準の質量％である。
［基油］
ＰＶＥ：エチルビニルエーテルとイソブチルビニルエーテルとの共重合体（モル比９：１、１００℃動粘度７．８ｍｍ２／ｓ）、両末端はそれぞれ一般式（Ａ−１−ｉ）及び一般式（Ａ−１−ii）に示すものであり、Ｒ６ａ〜Ｒ８ａ、Ｒ１１ａ〜Ｒ１３ａが水素原子となるとともに、ｒ１及びｒ２のいずれもが０であり、Ｒ１0ａ及びＲ１5ａはエチル基又はイソブチル基である。
ＰＡＧ：ポリオキシプロピレングリコール（１００℃動粘度９．８ｍｍ２／ｓ）
ＥＣＰ：ポリプロピレングリコール（ＰＰＧ）／ポリエチルビニルエーテル（ＰＥＶ）共重合体（ＰＰＧ／ＰＥＶモル比５／５、１００℃動粘度１１．２ｍｍ２／ｓ）
ＰＯＥ：ペンタエリスリトールオクタン酸（Ｃ８酸）ノナン酸（Ｃ９酸）エステル（Ｃ８酸／Ｃ９酸モル比１／１．１、１００℃動粘度８．６ｍｍ２／ｓ）
［添加剤］
多リン酸エステル系化合物１：上記一般式（５）においてｎが１〜３の混合物である化合物
多リン酸エステル系化合物２：上記一般式（５）においてｎが１〜８の混合物である化合物
多リン酸エステル系化合物３：上記一般式（６）で示される化合物
多リン酸エステル系化合物４：上記一般式（１）で示される化合物であって、Ｒ1、Ｒ3、Ｒ5、Ｒ7が水素原子であり、Ｒ2、Ｒ4、Ｒ6、Ｒ8が炭素数１〜２０のアルキル基、Ｒ9が炭素数２〜２０の二価の炭化水素基、ｎが１〜８の混合物である化合物
多価アルコール：ジプロピレングリコール
酸化防止剤：２，６−ジ−ｔｅｒｔ−ブチル−４−メチルフェノール（ＤＢＰＣ）
酸捕捉剤：２−エチルヘキシルグリシジルエーテル
消泡剤：シリコーン系消泡剤
【００７７】
実施例１〜１３の潤滑性試験の結果から明らかなように、冷凍機油に多リン酸エステル系化合物及び多価アルコールの両方を含有させることで、冷凍機の摺動部分における摩擦係数を低くできる。また、リング摩耗量が少ないことからも明らかなように耐摩耗性も良好となった。
それに対して、比較例１〜１３に示すように、冷凍機油に、多リン酸エステル系化合物及び多価アルコールのいずれか一方又は両方を含有させない場合には、耐摩耗性、及び摩擦係数の両方を良好にすることができなかった。